(57)【要約】      （修正有）【課題】内容物の注出および注出物の計量を、本体に備える注出用容器で容易に行うことができる、使用性に優れた容器を提供する。【解決手段】液状の内容物を収容する本体２と、この本体２の上端部に着脱自在に設けるとともに、ノズル３ａを有する注出部３ｂを回転自在に備えた、内容物を注出する注出ポンプ３と、からなる容器１において、本体２は、この本体２の肩部に、上面を開口した開口部を有する注出用容器１１を着脱自在に備えるとともに、ノズル３ａの先端の下方に開口部を位置させる。【選択図】図１
2010023847.tif 000002
【特許請求の範囲】
【請求項１】
液状の内容物を収容する本体と、
該本体の上端部に着脱自在に設けるとともに、ノズルを有する注出部を備えた、前記内容物を注出する注出ポンプと、
からなる容器において、
前記本体は、該本体の肩部に、上面を開口した開口部を有する注出用容器を着脱自在に備えるとともに、前記ノズルの先端の下方に前記開口部を位置させることを特徴とする容器。
【請求項２】
前記本体には、前記注出用容器の側面が接する位置の高さ方向に、前記注出用容器の容量に対応した目盛りを設けることを特徴とする、請求項１に記載の容器。
【請求項３】
前記注出用容器は、前記本体に対して前後方向それぞれの上端部に、注ぎ口を備えることを特徴とする、請求項１に記載の容器。
【請求項４】
前記注出用容器は、前記本体に対して左右方向の上端部に、ブラシを備えることを特徴とする、請求項１に記載の容器。
【請求項５】
前記注出用容器は、無色透明である、請求項１に記載の容器。
【請求項６】
前記注出ポンプは、前記本体上端部の中央近傍に備えることを特徴とする、請求項１に記載の容器。
【請求項７】
前記注出用容器は、前記本体の両肩部に備えることを特徴とする、請求項１に記載の容器。
【発明の詳細な説明】
【技術分野】
【０００１】
本発明は、本体に液状の洗剤などを収容する、注出ポンプを備えた容器に関し、より詳細には、本体の肩部に、上面を開口した開口部を有する注出用容器を着脱自在に備えるとともに、注出ポンプのノズル先端の下方に開口部を位置させる容器に関する。
【背景技術】
【０００２】
従来、液体洗剤やシャンプーなど液状の内容物を収容する容器には、例えば、ブロー成形により形成された、外側層と内側層の少なくとも二層からなり、内側層とこれに隣接する外側層を剥離自在とした積層ボトルと、このボトル内に挿入固定されて開口する吸引部およびボトル外部へ露出する作動部とを備えたポンプとからなるポンプ容器があり、ボトル口頚部の一部を内方へ凹ませて口頚部内に突設した環状突部を設け、この突部内面をポンプのボトル内の吸引部外面に液密に圧接固定させ、ボトル内の液が減少して内側層が剥離しても内側層が抜け落ちるのを防止でき、内側層と外側層との間に液が侵入してボトル下端のピンチオフ加工部より液が漏出したり、或いは剥がれ落ちた内側層による注出阻害を防ぐもの（例えば、特許文献１）がある。
【０００３】
【特許文献１】特開平７−２２３６６３号公報
【発明の開示】
【発明が解決しようとする課題】
【０００４】
しかし、このような容器では、抽出ポンプにより本体内に有する内容物を注出する際、注出物を手のひらに受けたり、別途準備したカップなどの注出用容器に分取するなどしなければならず、手を注出物で汚してしまったり、手袋の装着や別途注出用の容器を準備するなどのわずらわしさがあった。また、注出量を測って内容物を分取したい場合にも、別途目盛りを有する注出用の容器を準備しなければならず、手間がかかるという問題があった。
従って、この発明の目的は、内容物の注出および注出物の計量を、本体に備える注出用容器で容易に行うことができる、使用性に優れた容器を提供することにある。
【課題を解決するための手段】
【０００５】
このため、請求項１に記載の発明は、液状の内容物を収容する本体と、該本体の上端部に着脱自在に設けるとともに、ノズルを有する注出部を備えた、前記内容物を注出する注出ポンプと、からなる容器において、前記本体は、該本体の肩部に、上面を開口した開口部を有する注出用容器を着脱自在に備えるとともに、前記ノズルの先端の下方に前記開口部を位置させることを特徴とする。
【０００６】
請求項２に記載の発明は、請求項１に記載の容器において、前記本体には、前記注出用容器の側面が接する位置の高さ方向に、前記注出用容器の容量に対応した目盛りを設けることを特徴とする。
【０００７】
請求項３に記載の発明は、請求項１に記載の容器において、前記注出用容器は、前記本体に対して前後方向それぞれの上端部に、注ぎ口を備えることを特徴とする。
【０００８】
請求項４に記載の発明は、請求項１に記載の容器において、前記注出用容器は、前記本体に対して左右方向の上端部に、ブラシを備えることを特徴とする。
【０００９】
請求項５に記載の発明は、請求項１に記載の容器において、前記注出用容器は、無色透明である。
【００１０】
請求項６に記載の発明は、請求項１に記載の容器において、前記注出ポンプは、前記本体上端部の中央近傍に備えることを特徴とする。
【００１１】
請求項７に記載の発明は、請求項１に記載の容器において、前記注出用容器は、前記本体の両肩部に備えることを特徴とする。
【発明の効果】
【００１２】
請求項１に記載の発明によれば、液状の内容物を収容する本体と、この本体の上端部に着脱自在に設けるとともに、ノズルを有する注出部を備えた、内容物を注出する注出ポンプと、からなる容器において、本体は、この本体の肩部に、上面を開口した開口部を有する注出用容器を着脱自在に備えるとともに、ノズルの先端の下方に開口部を位置させるので、内容物の注出の際、別途注出容器を準備したり、手に分取する必要がなく、注出ポンプのノズルから本体内の内容物をこぼすことなく確実、かつ容易に注出することができる。従って、使用性に優れた容器を提供することができる。
【００１３】
請求項２に記載の発明によれば、本体には、注出用容器の側面が接する位置の高さ方向に、注出用容器の容量に対応した目盛りを設けるので、注出部からノズルを介して注出用容器に内容物を注出する際、目盛りにより注出量を計ることができ、注出ポンプを押すだけの操作で内容物を必要量だけ容易に分取することができる。また、目盛りが本体側に設けられているため、目盛りが内容物などで汚れて見えなくなるようなことがなく、注出量を正確に計ることができる。従って、使用性に優れた容器を提供することができる。
【００１４】
請求項３に記載の発明によれば、注出用容器は、本体に対して前後方向それぞれの上端部に、注ぎ口を備えるので、内容物を分取した注出用容器を本体から取外し、その内容物を注出用容器から流出させる際、ユーザの利き腕に応じた注出用容器の傾斜方向に有する注ぎ口を使用して注出用容器から内容物を円滑に流出させることができる。従って、使用性に優れた容器を提供することができる。
【００１５】
請求項４に記載の発明によれば、注出用容器は、本体に対して左右方向の上端部に、ブラシを備えるので、例えば、衣類などの洗濯中に、本体から取外した注出用容器のブラシで、衣類に強く付着した汚れを擦り落とすことができる。従って、使用性に優れた容器を提供することができる。
【００１６】
請求項５に記載の発明によれば、注出用容器は、無色透明であるので、本体に設けられた目盛りが注出用容器を通しても見易くなり、本体から注出用容器内に注出ポンプを介して注出した内容物の注出量を容易に視認することができる。従って、使用性に優れた容器を提供することができる。
【００１７】
請求項６に記載の発明によれば、注出ポンプは、本体上端部の中央近傍に備えるので、注出用容器を本体の肩部に設置し易い構造とすることで、本体を嵩張らない形状にすることができる。従って、使用性に優れた容器を提供することができる。
【００１８】
請求項７に記載の発明によれば、注出用容器は、本体の両肩部に備えるので、ユーザが使い易い方の本体肩部に備える注出用容器に内容物を分取できるほか、必要時にそれぞれの注出用容器に内容物を分けて分取させることができる。従って、使用性に優れた容器を提供することができる。
【発明を実施するための最良の形態】
【００１９】
以下、図面を参照しつつ本発明を実施するための最良の形態について説明する。
図１は本発明の一実施例を示す、容器の全体斜視図、図２はノズルの設置位置が異なる
容器の別実施例を示す、容器の全体斜視図、図３は本体肩部への取付構造を模式的に示す
注出用容器の側面拡大図、図４は注出用容器において、利き手が左利き用の注ぎ口から注
出物を流出させる説明図、図５は注出用容器において、利き手が右利き用の注ぎ口から注
出物を流出させる説明図、図６はブラシの使用方法の説明図、図７は本体両肩部に注出用
容器を備えた容器本体の正面断面図である。
【００２０】
本発明の容器１は、図１に示すように、液体洗剤や、シャンプー、リンスなどの液状内容物を収容するためのボトルなどの本体２と、この本体２における上端部の中央近傍に着脱自在に設けられた、本体２内の内容物を注出させるノズル３ａを設けた注出部３ｂを備える注出ポンプ３とから構成される。
【００２１】
本体２は、内側層と、外側層とからなり、合成樹脂をブロー成形したものであり、例えば、外側層をポリエチレン、内側層をナイロンなどで形成することができる。また、本体２は、胴部より肩部４を介して口頚部５を立設しており、口頚部５の外周には注出ポンプ３を着脱自在に固定するための図示しない螺条が周設される。なお、本体２は、図中に示される形状に限定されない。
【００２２】
また、注出ポンプ３は、合成樹脂などにより形成されたもので、本体２内に収納して開口する吸引部７および本体２の上方に露出する作動部８とからなり、作動部８の螺合部９内周には、本体２の口頚部５に有する前記螺条に螺合可能な図示しない螺条が周設される。そして、作動部８を作動させることにより、本体２内の内容物が吸い上げられ、内容物を注出することができる。また、ノズル３ａを有する注出部３ｂは、螺合部９に対して回転自在に備えられる。なお、この注出ポンプ３の構成は周知の技術であるため、詳細な説明は省略する。さらに、図２に示すように、口頚部５にノズル３ａ´を設けることもできる。この場合、ノズル３ａ´の一端を口頚部５に取付けることで、ノズル３ａ´を本体２に対して固定設置させた容器１としてもよい。
【００２３】
次に、本願発明の特徴である、注出用容器について、その具体的構成を説明する。まず、注出用容器１１は、例えば、本体２の成形時において本体２の一方の肩部４（例えば、図中では本体２の左側の肩部４を示すが、本体２の右側の肩部であってもよい）に設けたスペースＳに、着脱自在に備えられる。
【００２４】
この注出用容器１１は、無色透明の、上面を開口した略長方形などのカップ形状であり、例えば、図３に示すように、注出用容器１１底部に設けた嵌合部１２の左右の凸部１３を、肩部４の底部に設けた嵌合部１４の左右の凹部１５に嵌合させて、注出用容器１１が、肩部４に着脱自在に固定される。このとき、注出ポンプ３におけるノズル３ａの先端部下方に、注出用容器１１の上面開口部の中央近傍が位置する構成とされる。
【００２５】
なお、肩部４への注出用容器１１の固定方法は、上述した嵌合方法に限定されず、適宜方法を用いて着脱自在に固定してもよい。また、注出用容器１１の形状は、本体２の外周に沿って本体２から突出しない程度で、本体２の全体形状に合わせることが好ましく、これにより、容器１を陳列したり、箱詰して運搬する場合などにおいて、容器１間の無駄なスペースを無くし、容器１が嵩張らない構成とすることができる。
【００２６】
注出用容器１１の材質としては、特に限定されるものではないが、例えば、ポリカーボネート樹脂や、プロピレン樹脂、ポリスチレン、エポキシ樹脂、アクリロニトリルーブタジエンースチレン共重合樹脂（ＡＢＳ樹脂）、メタクリル樹脂（ＰＭＭＡ樹脂）、メチルメタクリレートースチレン共重合樹脂（ＭＳ樹脂）などを用いることができる。
【００２７】
また、注出用容器１１の前面１１ａおよび後面１１ｂの両上端部（前後把持部の上端部）の本体２側近傍には、それぞれ前後方向にやや膨出させた注ぎ口１６ａ，１６ｂが設けられる。
【００２８】
さらに、本体２の肩部４におけるスペースＳの側面２ａであって、注出用容器１１における本体２側の側面１１ｃが接する高さ方向には、注出用容器１１の容量に対応した、注出用容器１１内の容量を示す目盛り１７が刻設される。
【００２９】
そして、上述した注出用容器１１における本体２側の側面１１ａの上端部には、刷毛１８ａを上方に突出させたブラシ１８が取付けられる。この刷毛１８ａは、例えばアクリル樹脂などの合成樹脂からなる細く強度を有する棒状のものを、注出用容器１１の成形時に一体成形により側面１１ａの上端部に等間隔で複数設置される。なお、刷毛１８ａは、上述したような全て合成樹脂によるものに限定されず、側面１１ａの上端部に一体成形により設けた合成樹脂に棒状の金属を複数埋設させたり、あるいはシリコンやナイロンなどからなる柔軟なものを用いるなど、適宜材質を用いて任意の方法で設けてもよい。
【００３０】
ここで、本体２内に有する内容物を、本体２の肩部４に備える注出用容器１１に注出し、この注出用容器１１を使用する場合には、まず、ノズル３ａを注出部３ｂを介して回転させ、ノズル３ａ先端部を注出用容器１１の上面開口部に位置させる。
【００３１】
次いで、注出ポンプ３の作動部８を上下動させるなどして作動させ、本体２内の内容物を吸い上げて、内容物を注出部３ｂのノズル３ａから注出用容器１１内に注出する。このとき、注出用容器１１が無色透明であるので、本体２に刻設した目盛り１７が注出用容器１１を通しても見易く、本体２から注出用容器内１１に注出ポンプ３を介して注出した内容物の注出量を容易に視認することができる。
【００３２】
また、このとき、本体２には、上述したように、注出用容器１１の側面１１ａが接する位置の高さ方向に、注出用容器１１の容量に対応した目盛り１７が設けられているので、注出部３ｂからノズル３ａを介して注出用容器１１に内容物を注出する際、目盛り１７により注出量を計ることができ、注出ポンプ３の注出部３ｂを押すだけの操作で内容物を必要量だけ容易に分取することができる。
【００３３】
次いで、注出用容器１１内の注出物が必要量に達したところで、ユーザは注出用容器１１の前面１１ａおよび後面１１ｂを把持し、注出用容器１１を本体２から引き抜くようにして、本体２の肩部４の嵌合部１４と、注出用容器１１の嵌合部１２との嵌合を解除し、本体２から注出用容器１１を取り外す。
【００３４】
次いで、注出用容器１１から注出物を流出させるが、このとき、ユーザの多くは、自分の利き腕（利き手）で注出用容器１１を持っているため、例えば、図４に示すように、左手利きのユーザが左手に注出用容器１１を持っている場合、ユーザは、左手に持つ注出用容器１１の正面右側（例えば注出用容器１１の前面１１ａ側）に有する注ぎ口１６ａ側（手首側）に手首をひねって注出用容器１１を自然に傾斜させて、注出用容器１１から注出物を容易に流出させることができる。
【００３５】
また、図５に示すように、右手利きのユーザが右手に注出用容器１１を持っている場合、ユーザは、右手に持つ注出用容器１１の正面左側（例えば注出用容器１１の後面１１ｂ側）に有する注ぎ口１６ｂ側（手首側）に手首をひねって注出用容器１１を自然に傾斜させて、注出用容器１１から注出物を容易に流出させることができる。
【００３６】
このように、内容物を分取した注出用容器１１を本体２から取外し、その内容物を注出用容器１１から流出させる際、ユーザの利き腕（手）に応じた注出用容器１１の傾斜方向に有する注ぎ口１６ａ，１６ｂを使用して注出用容器１１から内容物を円滑に流出させることができる。
【００３７】
次に、例えば、本体２が液体洗剤を収容しており、この容器１の洗剤を用いて衣類などを洗濯している際、衣類の各部分（例えば襟や袖の部分）に強く付着した汚れを擦って落としたい場合には、本体２から注出した内容物を分取した注出用容器１１を本体２から取外して衣類の汚れ部分に内容物をかける、または内容物を注出せずに注出用容器１１を本体２から取外し、ブラシ１８が下方になるように注出用容器１１を転回する。
【００３８】
次いで、図６に示すように、注出用容器１１を握り、刷毛１８ａの先端を衣類の除去したい汚れ部分に当てて、刷毛１８ａを衣類に擦り付けることで、別途ブラシなどを準備する必要なく、容器１の本体２に備える注出用容器１１をそのまま使用して衣類の汚れを落とすことができる。
【００３９】
また、本願発明の注出ポンプ３は、本体２の上端部の中央近傍に備えるので、注出用容器１１を本体２の肩部４に設置し易い構造となり、本体２を嵩張らない形状にすることができる。
【００４０】
そして、上述のように、注出ポンプ３は、本体２の上端部の中央近傍に有するため、注出用容器を本体２の両肩部４、４´に備えることもできる。この場合、図７に示すように、上述してきた本体２の一方の肩部４（例えば、本体２の左側の肩部４であるが、本体２の右側の肩部４´でもよい）に備える注出用容器１１を、本体２の他方の肩部４´（例えば、本体２の右側の肩部４´であるが、本体２の左側の肩部４でもよい）にも上述同様にして設けることができる。
【００４１】
なお、このとき、両肩部４、４´に設けた注出用容器１１，１１´は、同じ容量（大きさ）であってもよいが、これら注出用容器１１，１１´を異なる容量で設けてもよい。その場合、注出用容器１１´を設置する肩部４´に形成したスペースＳ´の大きさが肩部４に形成したスペースＳの大きさと異なるとともに、肩部４´側に設ける図示しない目盛りも注出用容器１１´の容量に応じて、肩部４側に刻設した目盛り１７とは異なる刻設間隔などで設けられる。また、注出用容器１１´の側面上端部へのブラシの設置は任意とされる。
【００４２】
このような構成にすることで、ユーザが使い易い方の本体２の肩部４、４´に備える注出用容器１１，１１´に内容物を分取できるほか、必要時にそれぞれの注出用容器１１，１１´に内容物を分けて分取させることができる。
【図面の簡単な説明】
【００４３】
【図１】本発明の一実施例を示す、容器の全体斜視図である。
【図２】ノズルの設置位置が異なる容器の別実施例を示す、容器の全体斜視図である。
【図３】本体肩部への取付構造を模式的に示す注出用容器の側面拡大図である。
【図４】注出用容器において、利き手が左利き用の注ぎ口から注出物を流出させる説明図である。
【図５】注出用容器において、利き手が右利き用の注ぎ口から注出物を流出させる説明図である。
【図６】ブラシの使用方法の説明図である。
【図７】本体両肩部に注出用容器を備えた容器本体の正面断面図である。
【符号の説明】
【００４４】
１    容器
２    本体
２ａ    側面
４    肩部
１１    注出用容器
１１ａ    前面
１１ｂ    後面
１１ｃ    側面
１２，１４    嵌合部
１３    凸部
１５    凹部
１６ａ，１６ｂ    注ぎ口
１７    目盛り
１８    ブラシ
１８ａ    刷毛
Ｓ    スペース
【図１】
2010023847.tif 000003
【図２】
2010023847.tif 000004
【図３】
2010023847.tif 000005
【図４】
2010023847.tif 000006
【図５】
2010023847.tif 000007
【図６】
2010023847.tif 000008
【図７】
2010023847.tif 000009